(57)【要約】  本発明の目的は、「サッケードによる色割れ」を改善することのできるフィールドシーケンシャル方式のカラー表示装置を提供することにある。  本発明は、赤、緑、青の３色の光源のシーケンシャルな点滅に同期して、各色のデータをモノクロ表示素子で表示することによりカラー表示を行うカラー表示装置において、全ての色を表示するために赤色、緑色、青色の光源をシーケンシャルに点滅する最小の周期である表示フレームが、赤色のデータを表示する赤色フィールド、緑色のデータを表示する緑色フィールド、青色のデータを表示する青色フィールドを含み、前記緑色フィールドでは、前記緑色の光源の他に、少なくとも赤色又は青色の光源を点滅させる。
2011111711.tif 000002
【特許請求の範囲】
【請求項１】
赤、緑、青の３色の光源のシーケンシャルな点滅に同期して各色のデータを表示するモノクロ表示素子との組み合わせによりカラー表示を行うカラー表示装置において、
全ての色を表示するために赤色、緑色、青色の光源をシーケンシャルに点滅させる最小の周期である表示フレームが、赤色のデータを表示する赤色フィールド、緑色のデータを表示する緑色フィールド、青色のデータを表示する青色フィールドを含み、
前記緑色フィールドでは、前記緑色の光源の他に、少なくとも赤色又は青色の光源を点滅させることを特徴とするカラー表示装置。
【請求項２】
前記緑色フィールドでは、前記緑色の光源に加えて赤色の光源を点滅させる、請求項１に記載のカラー表示装置。
【請求項３】
前記表示フレームが、赤色フィールド、緑色フィールド、青色フィールド、緑色フィールドの４つの色フィールドで構成される、請求項１又は２に記載のカラー表示装置。
【請求項４】
前記カラー表示装置のホワイトバランスが一定に維持されるように、前記カラー表示装置の各色光源の輝度を調整する輝度調整手段を更に有する、請求項１〜３のいずれか一項に記載のカラー表示装置。
【請求項５】
前記輝度調整手段により前記カラー表示装置の輝度を低下させたときに、前記緑色フィールドの緑色の彩度を高める、請求項４に記載のカラー表示装置。
【請求項６】
入力される映像信号のフレーム期間の先頭の色フィールドの色が、前記映像信号のフレーム毎に、順次、赤、緑、青、緑の順で変化する、請求項３に記載のカラー表示装置。
【請求項７】
前記映像信号のフレーム期間が５つの色フィールドで構成され、前記表示フレームが４つの色フィールドで構成されている、請求項６に記載のカラー表示装置。
【請求項８】
前記表示フレームの周波数が７５Ｈｚである、請求項１〜７のいずれか一項に記載のカラー表示装置。
【請求項９】
赤、緑、青の３色の光源のシーケンシャルな点滅に同期して各色のデータを表示するモノクロ表示素子との組み合わせによりカラー表示を行うカラー表示方法において、
全ての色を表示するために赤色、緑色、青色の光源をシーケンシャルに点滅させる最小の周期である表示フレームが、赤色のデータを表示する赤色フィールド、緑色のデータを表示する緑色フィールド、青色のデータを表示する青色フィールドを含み、
前記緑色フィールドでは、前記緑色の光源の他に、少なくとも赤色又は青色の光源を点滅させることを特徴とするカラー表示方法。
【請求項１０】
前記緑色フィールドでは、前記緑色の光源に加えて赤色の光源を点滅させる、請求項９に記載のカラー表示方法。
【請求項１１】
前記表示フレームが、赤色フィールド、緑色フィールド、青色フィールド、緑色フィールドの４つの色フィールドで構成される、請求項９又は１０に記載のカラー表示方法。
【請求項１２】
前記カラー表示装置のホワイトバランスが一定に維持されるように、前記カラー表示装置の各色光源の輝度を調整する、請求項９〜１１のいずれか一項に記載のカラー表示方法。
【請求項１３】
前記輝度調整手段により前記カラー表示装置の輝度を低下させたときに、前記緑色フィールドの緑色の彩度を高める、請求項１２に記載のカラー表示方法。
【請求項１４】
入力される映像信号のフレーム期間の先頭の色フィールドの色が、前記映像信号のフレーム毎に、順次、赤、緑、青、緑の順で変化する、請求項１１に記載のカラー表示方法。
【請求項１５】
映像信号のフレーム期間が５つの色フィールドで構成され、前記表示フレームが４つの色フィールドで構成されている、請求項１４に記載のカラー表示方法。
【請求項１６】
前記表示フレームの周波数が７５Ｈｚである、請求項９〜１５のいずれか一項に記載のカラー表示装置。
【発明の詳細な説明】
【技術分野】
【０００１】
本発明は、カラーフィルタ無しでカラー表示を行うカラー表示装置及び方法に関する。より詳しくは、本発明は、赤、緑、青の３色の光源を高速に且つシーケンシャルに切り替えながらカラー表示を行うフィールドシーケンシャル方式のディスプレイに好適に適用することのできるカラー表示装置及び方法に関する。
【背景技術】
【０００２】
カラーフィルタ無しでカラー表示を行う代表的な方法としてフィールドシーケンシャル方式のカラー表示方法が知られている。この方式は、赤、緑、青の３色の光源と、モノクロ表示素子とを備え、３色の光源の点滅を高速に切り替えながら、これに同期して各色のデータをモノクロ表示素子で表示することによりカラー表示を行うものである。モノクロ表示素子としては、反射型及び透過型のいずれであってもよい。【０００３】
この種のカラーフィルタ無し（フィールドシーケンシャル方式）のカラー表示装置は、液晶ディスプレイやその他のモノクロ表示素子に適用され、例えばプロジェクタにおいては単板であっても３板式と同等の解像度をカラー表示で達成でき、光学系も単純になるなどの利点により製品化されている。また、人間の頭部に装着して目の前にディスプレイを配置するヘッドマウントディスプレイにおいても、小型で高解像度のカラー表示が可能なことからフィールドシーケンシャル方式を用いたカラー表示装置が発表されている（特許文献１、２）。さらに大型の直視型液晶ディスプレイの試作品も発表されている。【０００４】
フィールドシーケンシャル方式を用いたカラー表示装置の以下の説明を分かり易くするために、次の定義を与える。先ず、全ての色を表示するために赤、緑、青の３色の光源がシーケンシャルに点滅する最小の周期を「表示フレーム」と呼ぶ。そして、その周期を「１表示フレーム期間」と呼ぶ。また、１つの色を表示するための最小の単位を「色フィールド」と呼び、その周期を「１色フィールド周期」と呼ぶ。【０００５】
従来のフィールドシーケンシャル方式を用いたカラー表示方法にあっては、図１に示すように、赤、緑、青の光源を一回ずつ順に点滅させて、例えば赤→緑→青を１表示フレームとして、これを繰り返すようになっていた。【０００６】
図２は従来のフィールドシーケンシャル方式の駆動回路のブロック図である。図３は従来のフィールドシーケンシャル方式のタイミングチャートである。【０００７】
以下に、図２及び図３を用いて従来のフィールドシーケンシャル方式の映像信号のタイミングを説明する。図２のフィールドシーケンシャル方式の駆動回路においては第１フレームメモリと第２フレームメモリの２つのフレームメモリを備えており、それぞれ１フレーム分の画像を独立に書き込み及び読み出しをすることがメモリ調停回路により制御されている。【０００８】
図３に示す様に映像信号として映像“１”が入力されているフレーム期間は第１フレームメモリに映像“１”のデータが書き込まれると同時に、第２フレームメモリに前フレーム期間に書き込まれていた映像“０”のデータが赤色フィールド、緑色フィールド、青色フィールドの順番で読み出され液晶パネルに書き込まれ、各色のデータが書き込まれた後に各色の光源が点滅しカラー画像を表示する。【０００９】
次のフレーム期間では映像“２”が入力され第２フレームメモリに映像“２”のデータが書き込まれると同時に、第１フレームメモリに前フレーム期間に書き込まれていた映像信号“１”のデータが赤色フィールド、緑色フィールド、青色フィールドの順番で読み出され液晶パネルに書き込まれ、各色のデータが書き込まれた後に各色の光源が点滅しカラー画像を表示する。【００１０】
フィールドシーケンシャル方式を用いたカラー表示装置における問題点として、フリッカ（ちらつき）が周知である。なお、このフリッカの問題は他の方式でも同様に生じる。ユーザにフリッカを感じさせないようにするには、赤、緑、青の各光源の点滅周期を１／６０秒よりも短くする必要があると言われている（特許文献３）。しかしながら実際にはカラー表示装置の輝度が高くなるとフリッカを感じなくなる周波数が上昇する。本発明者は既にフリッカを感じにくくする方法を提案した（特許文献４）。【００１１】
特許文献４に開示の方法は、この明細書に添付した図４に示すように、１表示フレームを４フィールドとし、１表示フレーム中に緑色を２回点滅させて、例えば赤→緑→青→緑を１表示フレームとして、これを繰り返すようにしている。【００１２】
人間の目がフリッカを感じなくなる周波数は各色で異なり、緑色のフリッカを感じなくなる周波数が赤色や青色に較べて倍の周波数となることから、図４に図示の方法によれば、緑色の点滅周波数を表示フレーム周波数の倍とすることにより低い表示フレーム周波数でもフリッカを感じ難くなる。また、この図４に図示の方法では赤色フィールド及び青色フィールドは二つの緑色フィールドに挟まれていることから、緑色フィールドは平均して赤色と青色の合成された色フィールドに挟まれることになり、モノクロ表示素子の応答速度が遅い場合でも画面の色の均一性が良好に保てるという利点がある。これは比較的動作速度の遅いネマティック液晶を用いたフィールドシーケンシャル液晶において有効である。【００１３】
フィールドシーケンシャル方式を用いたカラー表示装置での固有の問題点として「色割れ」がある。フィールドシーケンシャル方式を用いたカラー表示装置で動画を表示すると「色割れ」が発生すると一般的に言われている。具体的には図５に示す様に黒い背景の中を白い四角形が動く場合に移動方向に垂直な境界に実際の表示には無い色が認識される。【００１４】
「動画による色割れ」は一般的な映像信号をフレームメモリに保管しフィールドシーケンシャル特有の各色フィールド毎に映像信号を取り出すタイミングに起因するものである。図６は従来のフィールドシーケンシャル方式における色割れの状態を説明するための図である。【００１５】
以下に、図３、図５、図６を用いて従来のフィールドシーケンシャル方式の色割れの発生原因を説明する。【００１６】
図５に示す様に黒い背景の中を白い四角形が等速度で動く場合の従来のフィールドシーケンシャル方式の表示について、図６（ａ）では動きを横軸に、時間を縦軸にして示している。表示データは図３に示す様に１フレーム期間及び１表示フレーム期間では同じ位置のデータが液晶パネルに出力される。これに対して表示を見ている人の視線は表示の動きに合わせて一定速度で動き図６（ａ）では斜め線で表される。図６（ｂ）では視線の位置を一定とした場合の相対的な表示の位置を示している。表示を見ている人の目には図６（ｂ）の表示が積分されて認識される。白い四角形が等速度で動く場合においては、各色で表示される位置が図６（ｂ）に示す様に各表示フレームで一定となる為、図６（ｂ）の“ウ”や“エ”の様に色割れとして認識される。【００１７】
また、従来の赤緑青の３つの色フィールドを１フレームとする方法では、表示素子の応答速度が遅いと次の色フィールドの光源が点滅するまでに表示素子の応答が完全に応答できないため次の色フィールドの色が混ざり、赤色フィールドの表示には緑が混じり黄色っぽくなる。緑色フィールドの表示は水色っぽくなり、青色フィールドの表示は紫色っぽくなる。【００１８】
従って、表示素子に液晶を使うと低温で応答速度が遅くなるにつれて色度図上では色相が回転してしまい、正しい色が表示できないという欠点があった。【００１９】
更なる問題点として、画面を走査して書き込むことにより、画面の上下で書き込むタイミングに時間差が生じるので、前記の混色による色むらの度合いが画面の上下で異なることになり、画面の上下に色むらが発生するという問題があった。【００２０】
「動画による色割れ」については、フレームメモリのタイミングを工夫することにより改善が可能であるが、タイミングの工夫による改善を行っても完全に「色割れ」を無くすことが出来なかった。これは「動画による色割れ」の他に「サッケードによる色割れ」があるためである。【００２１】
「サッケードによる色割れ」とは、素早く眼球を動かした際に、１フレーム期間中に視点が大きく移動し、赤、緑、青の画像が大きくずれることにより画像には無い彩度の高い色がランダムに瞬間的に感じられる現象である。【００２２】
「サッケードによる色割れ」の特徴は動画に限らず静止画でも発生し特にコントラストの高い白黒の表示の境界で顕著に発生する。これを解決する方法としてフレーム周波数を高くする方法が考えられるが、フレーム周波数を通常の２倍としたフィールドシーケンシャル方式の投写型プロジェクタでも「サッケードによる色割れ」を無くすことが出来ずフィールドシーケンシャル方式を用いたカラー表示装置の普及の障害となってきた。また、フレーム周波数を上げることにより表示デバイスの消費電力も上昇し、一部のモノクロ表示素子では動作速度の制限からフレーム周波数を上げることが難しかった。
【特許文献１】ＪＰ特開２０１０−３２９９７号公報
【特許文献２】ＪＰ特開２００９−２５１３１９号公報
【特許文献３】ＪＰ特開２００７−２０６６９８号公報
【特許文献４】ＷＯ 01/095303号公報（ＰＣＴ/ＪＰ０１/０４８１３号）
【発明の開示】
【００２３】
本発明の目的は、「サッケードによる色割れ」を含むフィールドシーケンシャル方式の「色割れ」を改善することのできるカラー表示装置及び方法を提供することにある。
【００２４】
上記の技術的課題は、本発明の一つの観点によれば、
赤、緑、青の３色の光源のシーケンシャルな点滅に同期して各色のデータを表示するモノクロ表示素子との組み合わせによりカラー表示を行うカラー表示装置において、
全ての色を表示するために赤色、緑色、青色の光源をシーケンシャルに点滅させる最小の周期である表示フレームが、赤色のデータを表示する赤色フィールド、緑色のデータを表示する緑色フィールド、青色のデータを表示する青色フィールドを含み、
前記緑色フィールドでは、前記緑色の光源の他に、少なくとも赤色又は青色の光源を点滅させることを特徴とするカラー表示装置を提供することにより達成される。
【００２５】
上記の技術的課題は、本発明の他の観点によれば、
赤、緑、青の３色の光源のシーケンシャルな点滅に同期して各色のデータを表示するモノクロ表示素子との組み合わせによりカラー表示を行うカラー表示方法において、
全ての色を表示するために赤色、緑色、青色の光源をシーケンシャルに点滅させる最小の周期である表示フレームが、赤色のデータを表示する赤色フィールド、緑色のデータを表示する緑色フィールド、青色のデータを表示する青色フィールドを含み、
前記緑色フィールドでは、前記緑色の光源の他に、少なくとも赤色又は青色の光源を点滅させることを特徴とするカラー表示方法を提供することにより達成される。
【００２６】
本発明においては従来解決が難しいとされていたフィールドシーケンシャル方式における「動画の色割れ」について、従来のフィールドシーケンシャル方式の駆動回路を大幅に変更することなく色割れを大幅に改善するとともに、「サッケードによる色割れに」ついて、フィールドシーケンシャル方式によるカラー表示装置の特徴である色再現範囲が広いという点をそれほど損なわず、表示フレーム周波数をそれほど上げることもなくサッケードによる色割れを認識しにくくすることが可能となる。
【００２７】
本発明は、典型的には、前記表示フレームが、赤色フィールド、緑色フィールド、青色フィールド、緑色フィールドの４つの色フィールドで構成される。
【００２８】
本発明の好ましい実施形態では、前記緑色フィールドにおいて、前記緑色に加えて赤色の光源を点滅させる。
【００２９】
また、本発明の好ましい実施形態では、入力される映像信号のフレーム期間の先頭の色フィールドの色が、映像信号のフレーム毎に、順次、赤、緑、青、緑の順で変化する。
【００３０】
本発明の作用効果及び他の目的は、本発明の実施例の詳しい説明から明らかになろう。
【図面の簡単な説明】
【００３１】
【図１】従来の典型例に関するものであり、表示素子の光透過率と、赤、緑、青の光源の点滅の時間的な関係を説明するための図である。
【図２】従来のフィールドシーケンシャル方式の駆動回路のブロック図である。
【図３】従来のフィールドシーケンシャル方式のタイミングチャートである。
【図４】赤青１回、緑２回の従来例に関するものであり、表示素子の光透過率と、赤、緑、青の光源の点滅との時間的な関係を説明するための図である。
【図５】フィールドシーケンシャル方式の表示での「色割れ」を具体例で説明するための図である。
【図６】フィールドシーケンシャル方式の表示での「色割れ」を説明するための図である。
【図７】実施例のフィールドシーケンシャル方式のタイミングチャートであり、従来例の図３に対応する図である。
【図８】実施例の作用効果を説明するための図であり、従来例の図６に対応する図である。
【図９】実施例に関するものであり、表示素子の光透過率と、赤、緑、青の光源の点滅との時間的な関係を説明するための図である。
【発明を実施するための最良の形態】
【００３２】
図７は実施例のフィールドシーケンシャル方式のタイミングチャートである。図８は実施例のフィールドシーケンシャル方式の作用効果を説明するための図である。【００３３】
図７に示すタイミングを実現するためのフィールドシーケンシャル方式の駆動回路は、前述した従来のフィールドシーケンシャル方式の駆動回路（図２）と基本的には同一である。従来との相違点は、液晶パネルに表示データを送るために第１及び第２フレームメモリからデータを読み出すメモリ調停回路のタイミングが図７に示す様に図３（従来）のタイミングとは異なっている点にある。【００３４】
本願発明者は１フレームを赤、緑、青、緑の４色フィールドで構成して、これを１表示フレームとするフィールドシーケンシャル方式をすでに提案している（国際公開ＷＯ ０１／０９５３０３号）。人間の目がフリッカを感じなくなる周波数は各色で異なり、緑色のフリッカを感じなくなる周波数が赤色や青色に較べてほぼ倍の周波数となることから、上記ＷＯ ０１／０９５３０３号に開示の発明で、本願発明者は、１表示フレーム期間中に緑色を２回点滅させて緑色光源の点滅周波数を他の色光源の点滅周波数の２倍とすることを提案している。これにより、低い表示フレーム周波数でもフリッカを感じ難くすることができる。【００３５】
この１表示フレーム中に緑色を２回点滅させる方法では赤色フィールド及び青色フィールドは二つの緑色フィールドに挟まれ、緑色フィールドは平均して赤色と青色の合成された紫色フィールドに挟まれることになり、モノクロ表示素子の応答速度が遅い場合でも赤色フィールド及び青色フィールドでは画面の上下ともに緑色が混ざり画面の色の均一性が良好に保てる。緑色フィールドにおいても画面の上下ともに紫色が混ざり画面の均一性が良好に保てる。また緑は補色である紫色が混ざるので色度図上で緑色フィールドの表示色は緑色と紫色の線上にある白色に向かうことになり、色相の回転が無くなる。【００３６】
従って本発明の実施例では色相の回転、色むらやフリッカを防ぐために赤、緑、青、緑の順に４つの色フィールドを１表示フレームとして駆動している。【００３７】
以下に、図７及び図８を参照して実施例の特徴部分を説明すると、実施例では、映像信号の１フレーム期間を５つの色フィールドで構成してある。１表示フレームは４つの色フィールド、赤、緑、青、緑で構成され、映像信号の１フレームの先頭の色フィールドは図８（ａ）に図示する様にフレーム毎に色が赤、緑、青、緑の順で変わる。従って図８（ｂ）に図示の様に視線の位置を一定とした場合の相対的な表示では、同じ表示位置に対応する色フィールドの色がフレーム毎に赤、緑、青、緑の順で変わり、ディスプレイを見ている人の目には図８（ｂ）の表示が積分されて認識されるため、図８（ｂ）の“ア”や“イ”の様に白色として認識され色割れを感じなくなる。【００３８】
本願発明者は、本実施例のタイミングで実際のフィールドシーケンシャル液晶を駆動し、スクロール画像の評価を行った結果、「動画による色割れ」が殆ど気にならない程度まで改善出来る事を確認した。【００３９】
本発明の実施例のタイミングはフレームメモリへの書き込みタイミングを変更する必要は無く、フレームメモリの読み出しの周期と順番を変更するだけなので、従来のフィールドシーケンシャル方式の駆動回路に若干の変更を加えるだけで実現することが可能である。【００４０】
本発明の実施例では２つのフレームメモリを用いているが、デュアルポートメモリを用いてもよい。また、変形例として、キャッシュメモリを用いてメモリ調停回路を工夫し、メモリの書き込みと読み出しのタイミングを調整することで、１つのフレームメモリでも１つのフレーム期間に対し５つの色フィールドを出力し、１表示フレームを赤、緑、青、緑の４つの色フィールドで構成することで色割れを大幅に改善することは当業者であれば容易に理解できるであろう。【００４１】
映像信号のフレーム周波数は６０Ｈｚであることが一般的であり、本発明の実施例では表示フレーム周波数はフレーム周波数の５／４倍となるので、表示フレーム周波数は７５Ｈｚとなり、最もフリッカを感じやすい緑色の光源の点滅周波数は１５０Ｈｚとなり、赤色と青色の光源の点滅周波数は７５Ｈｚとなる。パソコン用のＣＲＴディスプレイではフリッカを感じにくくするためにフレーム周波数を７５Ｈｚに設定できる様になっていることからも、一般的なフリッカの感度は点滅周期が７５Ｈｚであれば問題無く、実施例のフィールドシーケンシャル方式によれば、入力される映像信号が６０Ｈｚのままであっても、フリッカを感じない表示フレーム周波数とすることが出来る。【００４２】
本発明の実施例では映像信号のフレーム周波数が６０Ｈｚの場合については、表示フレーム周波数は７５Ｈｚとなるが、映像信号のフレーム周波数が３０Ｈｚやそれより低い周波数の場合には、色フィールド周期を調整して、１フレームの先頭の色がフレーム毎に異なる様にすることで色割れを改善することが可能である。【００４３】
本発明の実施例では映像信号のフレーム周期が色フィールド周期の整数倍であるが、同期させる必要は無く、各フレームの先頭の時点での色フィールドの色がフレーム毎にほぼ毎回異なる様にすることで同様に色割れを改善することが可能である。【００４４】
図９は、実施例における、表示素子の光透過率と赤、緑、青の光源の点滅の時間的な関係を示している。前述したように、赤、緑、青、緑の順の４つの色フィールドで１表示フレームが構成されており、１表示フレームに２回の緑フィールドを含んでいる。【００４５】
比較例として、図１は、前述したように従来のフィールドシーケンシャル方式の典型例を示したものであり、表示素子の光透過率と赤、緑、青の光源の点滅の時間的な関係を示している。赤、緑、青の順に３つの色フィールドで１表示フレームが構成されており、特に緑色でフリッカを感じやすくなっている。【００４６】
前述した図４は、赤青１回、緑２回の従来のフィールドシーケンシャル方式に関して、表示素子の光透過率と赤、緑、青の光源の点滅の時間的な関係を示している。本発明の実施例と同様に、１表示フレームに２回の緑フィールドを含んでおり、1表示フレームは赤、緑、青、緑の順に４つの色フィールドで構成されている。この図４の従来例では、緑色の点滅周期を表示フレーム周波数の倍とすることによりフリッカを感じ難い。しかしながら従来例（図４）では「サッケードによる色割れ」は改善出来なかった。例えば赤色の表示時間は１表示フレーム中の４分の１の期間でのみ表示されるため、眼球が素早く移動した場合に各色の画像のずれにより赤色が瞬間的に感じられる。特に赤色は他の色に較べて感じやすく、赤色の点灯時間の比率を上げない限り色割れは認識されてしまう。【００４７】
図９に戻って、本発明の更に好ましい実施例として、緑色フィールドでは緑色を点滅させるときに、これに加えて少なくとも赤色又は青色を点滅させるのがよく、より好ましくは、緑色と赤色を一緒に点滅させるのがよく、最も好ましくは、緑色と赤色と青色の３色の光源を点滅させるのがよい。【００４８】
図４（従来例）と対比すると良く分かるように、赤色フィールドでの発光輝度に関して、ホワイトバランスを維持するために１表示フレームでの赤色の発光輝度が等しくなるように、赤色フィールドでの発光輝度を下げてその低下分を緑色フィールドで発光するようにしている。従って、表示素子が白を表示する場合に赤い映像は赤色フィールドだけでなく、緑色フィールドでも表示されることとなり、１表示フレーム中の４分の３の期間で表示されることとなる。【００４９】
青色の発光輝度についても同様である。ホワイトバランスを維持するために、１表示フレームで青色の発光輝度が等しくなるように青色フィールドでの発光輝度を下げてその低下分を緑色フィールドでも青色が発光するようにしている。したがって、青色についても１表示フレーム中の４分の３の期間で表示されることとなる。これにより、表示フレーム周波数を高くしなくても「サッケードによる色割れ」は認識され難くなる。緑色については２分の１の期間であるが周波数は倍となっており、他の色に対して点灯時間比は短いもののサッケードによる色割れは他の色と同様に認識され難い。【００５０】
実施例のフィールドシーケンシャル方式を用いたカラー表示装置では、緑色フィールドでの点滅色は、緑色と同時に少なくとも赤色又は青色、好ましくは緑色と赤色、最も好ましくは、緑色に加えて赤色及び青色の光源を点滅するため緑色の彩度は低下する。しかしながら、赤色フィールドでは赤色の光源のみが点滅し、青色フィールドでは青色光源のみが点滅すると共にホワイトバランスが略一定に維持される。【００５１】
従って、緑色フィールドにおいて、緑色に加えて少なくとも赤色又は青色を点滅するカラー表示装置では、赤色と青色の彩度は低下しないが、緑色の彩度が低下する。しかしながら、人間の目は、他の色に較べ緑色の彩度に鈍感であるため、色再現範囲を均等に低下させる場合に較べて人間が感じる色再現範囲はそれほど低下しない。【００５２】
実施例での赤色光源及び青色光源の各色フィールドによる輝度の比率は、カラー表示装置の輝度、フレーム周波数、使用する外光環境などにより最適な値が変動するが、各色フィールドにおける各色光源の輝度の比率を調整することは当業者であれば容易であり、簡単に最適な値に調整することが可能である。【００５３】
「サッケードによる色割れ」についてはカラー表示装置の輝度が低い場合にはそれほど気にならないことが判っており、緑色フィールドにおける緑色光源に対する赤色と青色の光源の点灯比率は、輝度が低い場合には、輝度が低くなるほど緑色フィールドの緑色の彩度をより高くする、つまり緑色の点灯比率を高めて緑色の彩度を高めるように調整してもよい。【００５４】
図９の実施例では、緑色フィールドで緑色の他に赤色及び青色を同時に点滅させているが、特に赤色が「サッケードによる色割れ」で認識されやすいことから、緑色フィールドでは緑色と赤色を点滅させ、青色の点滅を省いてもよい。【００５５】
また、赤色フィールドでは赤色の光源のみを点滅させているが、赤色の色座標を補正するために、赤色フィールドにおいて赤色に加えて緑色及び/又は青色を僅かに点滅させてもよい。青色フィールドについても同様である。【００５６】
本発明の実施例では、各色フィールドでの赤色及び青色の輝度調節を、ピーク輝度を変化させることにより調整しているが、PWM変調など既知の他の調整方法で構成することも可能である。【００５７】
実施例では、赤、緑、青、緑の４フィールドを１表示フレームとして構成しているが、赤、緑、青の３フィールドを１表示フレームとして構成するなど１表示フレームを他の構成とした場合においても、緑色フィールドの彩度を低下させることができるように赤、緑、青の点滅を制御することにより、上述した実施例と同様に「サッケードによる色割れ」を認識し難くすることが可能となる。
【図１】
2011111711.tif 000003
【図２】
2011111711.tif 000004
【図３】
2011111711.tif 000005
【図４】
2011111711.tif 000006
【図５】
2011111711.tif 000007
【図６】
2011111711.tif 000008
【図７】
2011111711.tif 000009
【図８】
2011111711.tif 000010
【図９】
2011111711.tif 000011
【国際調査報告】
2011111711.tif 000012
2011111711.tif 000013
2011111711.tif 000014
2011111711.tif 000015
2011111711.tif 000016
2011111711.tif 000017
2011111711.tif 000018
2011111711.tif 000019